(57)【要約】      （修正有）【課題】天然木棺と同等な質感をもち、フラッシュ棺と同様に軽量で火葬時の燃焼時間を短縮することが可能な環境配慮型の棺を提供する。  【解決手段】棺Ｇ１は、底板５の左右側端に側板６，６が立ち上げられ、前後側端に妻板７，７が立ち上げられる。側板６，６と妻板７，７の上方には天板８が設けられる。側板６，６、妻板７，７および天板８は、２枚の薄板１２の間に芯材１３を設けてなる中空合板により形成され、この中空合板の薄板１２は、天然木の間伐材からなる板片を積層接着し、この積層体を所要の厚みに積層方向にカットしてなる集成材により形成される。側板６，６、妻板７，７および天板８の棺外側には集成材の板面が表れる。【選択図】図１
0003157862.tif 000002
【実用新案登録請求の範囲】
【請求項１】
底板と、
この底板の左右側端に立ち上げられる一対の側板と、
前記底板の前後側端に立ち上げられる一対の妻板と、
前記側板と前記妻板の上方に設けられる天板とを備えた棺において、
前記側板、前記妻板および前記天板が、２枚の薄板の間に芯材を設けてなる中空合板により形成され、かつ、この中空合板の前記薄板が、天然木の間伐材からなる板片を積層接着し、この積層体を所要の厚みに積層方向にカットしてなる集成材により形成されており、
前記側板、前記妻板および前記天板の棺外側には前記集成材の板面が表れるように構成したことを特徴とする棺。
【請求項２】
底板と、
この底板の左右側端に立ち上げられる一対の側板と、
前記底板の前後側端に立ち上げられる一対の妻板と、
前記側板と前記妻板の上方に設けられる天板とを備えた棺において、
前記側板、前記妻板および前記天板が、２枚の薄板の間に芯材を設けてなる中空合板により形成され、かつ、この中空合板の前記薄板のうち一方が天然木の間伐材からなる板片を積層接着し、この積層体を所要の厚みに積層方向にカットしてなる集成材により形成され、他方が強化段ボール材により形成されており、
前記側板、前記妻板および前記天板の棺外側には前記集成材の板面が表れる一方、前記側板、前記妻板および前記天板の棺内側には前記強化段ボール材の板面が表れるように構成としたことを特徴とする棺。
【請求項３】
前記天然木が、桐（キリ）、檜（ヒノキ）、欅（ケヤキ）、杉（スギ）、樅（モミ）のうちいずれか一種である、請求項１または２記載の棺。
【請求項４】
前記底板が、天然木の無垢材からなる一枚板で形成される、請求項１または２記載の棺。
【請求項５】
前記側板、前記妻板または前記天板の板面に曲げ加工が施される、請求項１または２記載の棺。
【請求項６】
底板と、
この底板の左右側端に立ち上げられる一対の側板と、
前記底板の前後側端に立ち上げられる一対の妻板と、
前記側板と前記妻板の上方に設けられる天板とを備えた棺において、
前記底板、前記側板、前記妻板、前記天板のうちいずれかの板材が、２枚の薄板の間に芯材を設けてなる中空合板により形成され、かつ、この中空合板の前記薄板が、天然木の間伐材からなる板片を積層接着し、この積層体を所要の厚みに積層方向にカットしてなる集成材により形成されており、
前記板材の棺外側には前記集成材の板面が表れるように構成したことを特徴とする棺。
【請求項７】
底板と、
この底板の左右側端に立ち上げられる一対の側板と、
前記底板の前後側端に立ち上げられる一対の妻板と、
前記側板と前記妻板の上方に設けられる天板とを備えた棺において、
前記底板、前記側板、前記妻板、前記天板のうちいずれかの板材が、２枚の薄板の間に芯材を設けてなる中空合板により形成され、かつ、この中空合板の前記薄板のうち一方が天然木の間伐材からなる板片を積層接着し、この積層体を所要の厚みに積層方向にカットしてなる集成材により形成され、他方が強化段ボール材により形成されており、
前記板材の棺外側には前記集成材の板面が表れる一方、前記板材の棺内側には前記強化段ボール材の板面が表れるように構成としたことを特徴とする棺。
【請求項８】
前記天然木が、桐（キリ）、檜（ヒノキ）、欅（ケヤキ）、杉（スギ）、樅（モミ）のうちいずれか一種である、請求項６または７記載の棺。
【考案の詳細な説明】
【技術分野】
【０００１】
本考案は、葬儀用の棺に関し、詳しくは、天然木棺とフラッシュ棺の長所を兼ね備えた棺に関するものである。
【背景技術】
【０００２】
従来より、火葬用の木棺として、天然木棺とフラッシュ棺が知られている。
天然木棺は、棺の主要部の板材に天然木の無垢材が用いられるもので、棺表面に天然木特有の質感が表れる。例えば所定の幅および厚みに無垢材をカットして縦切り材とし、これを横方向に繋いで（横はぎ）、一枚板にして棺の板材とする。天然木棺の無垢材としては、桐（キリ）、檜（ヒノキ）、欅（ケヤキ）、杉（スギ）、樅（モミ）といった木材が採用されている。
【０００３】
一方、フラッシュ棺は、棺の主要部の板材として、２枚のラワン合板の間に芯材を入れて貼り合わせた中空合板が用いられる。棺表面には、天然木（桐など）を薄くスライスしたシートや、木目を印刷した紙製シートが貼り付けられ、その外観の向上が図られている。
なお、フラッシュ棺の先行技術としては、特許文献１，２等が公知である。
【先行技術文献】
【特許文献】
【０００４】
【特許文献１】特開２００２−２８２３１１号公報
【特許文献２】実公昭４０−２５５７７号公報
【考案の概要】
【考案が解決しようとする課題】
【０００５】
しかしながら、このような天然木棺とフラッシュ棺では、下記のような問題がある。
すなわち、天然木棺は、その外観が和式の葬儀に映えるものとなり、故人のもてなしの面では好まれるものの、その板材が重いために燃焼時間が長くかかる。燃焼時間の長さに比例して二酸化炭素排出量も増大するため、近年の環境保護の観点から敬遠されることもある。
【０００６】
一方、フラッシュ棺は、天然木棺に比較して安価なコストで棺の軽量化を図ることができる反面、棺表面の質感が天然木棺と比較して一見して区別しうるものとなっている。コスト面や環境面を考慮すれば、フラッシュ棺は非常に有用であるが、厳格な葬儀の場においては棺の材質に拘ることも少なくない。
【０００７】
本考案者らは、このような現状に鑑み、棺の板材について研究・検討を重ね、天然木の間伐材に着目するに至った。天然木棺では、高級な無垢材の質感を保つために節の多い間伐材の使用が制限されており、この結果、棺の材料として天然木の間伐材の有効利用が図れられていない。
このような天然木の間伐材を棺の材料として有効に利用することができれば、天然木棺の質感を備えつつ、安価で環境に優しい棺を実現することができる。
【０００８】
本考案の目的は、天然木棺と同等な質感をもち、しかも、フラッシュ棺と同様に軽量で火葬時の燃焼時間を短縮することが可能な環境配慮型の棺を提供することにある。  
【課題を解決するための手段】
【０００９】
［第１考案］
そこで、前記課題を解決するための第１考案による棺は、以下の構成を採用することとした。すなわち、
底板と、
この底板の左右側端に立ち上げられる一対の側板と、
前記底板の前後側端に立ち上げられる一対の妻板と、
前記側板と前記妻板の上方に設けられる天板とを備えた棺において、
前記側板、前記妻板および前記天板が、２枚の薄板の間に芯材を設けてなる中空合板により形成され、かつ、この中空合板の前記薄板が、天然木の間伐材からなる板片を積層接着し、この積層体を所要の厚みに積層方向にカットしてなる集成材により形成されており、
前記側板、前記妻板および前記天板の棺外側には前記集成材の板面が表れる構成とした。
【００１０】
このような構成によれば、棺の主要部である側板、妻板および天板に集成材の積層状の板面が表れる。この集成材は、その材料そのものが天然木であるため、その質感が高級な天然木棺に匹敵するものになる。各層の境界は若干見えるが、各層が接着剤を介して密着するため、外観を損ねることはない。
天然木の間伐材には節が含まれることがあるが、本考案では間伐材を加工した集成材を採用することにより板面に節が表れないようにした。これにより、従来、棺の材料として注目されていなかった天然木の間伐材を高級木棺の材料として有効に利用することができる。
【００１１】
なお、従来のフラッシュ棺では、その外観を天然木調に見せるために、装飾用のシートを棺表面に貼り合わせるものが存在しているが、このようなシートは０．１ｍｍ〜０．５ｍｍ程度であり、４ｍｍ〜８ｍｍ程度の薄板とは異なる。本考案の薄板は、いわゆる“シート”ではない“ボード”を意味するものであり、この点で、本考案の棺と従来のフラッシュ棺とは明確に区別される。
【００１２】
また、本考案の棺によれば、側板、妻板および天板が中空合板であるため、これら重量が無垢材の一枚板に比べ大幅に軽減される。これにより、棺の軽量化を図るとともに、火葬時の燃焼時間を短縮することができ、二酸化炭素排出量の少ない環境に優しい棺を実現することができる。
【００１３】
［第２考案］
第２考案による棺は、前記中空合板を構成する２枚の薄板のうち、棺の内側面となる薄板に強化段ボール材を採用する構成とした。
すなわち、第２考案による棺は、
底板と、
この底板の左右側端に立ち上げられる一対の側板と、
前記底板の前後側端に立ち上げられる一対の妻板と、
前記側板と前記妻板の上方に設けられる天板とを備えた棺において、
前記側板、前記妻板および前記天板が、２枚の薄板の間に芯材を設けてなる中空合板により形成され、かつ、この中空合板の前記薄板のうち一方が天然木の間伐材からなる板片を積層接着し、この積層体を所要の厚みに積層方向にカットしてなる集成材により形成され、他方が強化段ボール材により形成されており、
前記側板、前記妻板および前記天板の棺外側には前記集成材の板面が表れる一方、前記側板、前記妻板および前記天板の棺内側には前記強化段ボール材の板面が表れる構成とした。
【００１４】
このような構成によれば、第１考案と同様に、棺の側板、妻板および天板に天然木の集成材の板面が表れるため、その質感が天然木棺に匹敵するものになる。
また、側板、妻板および天板を形成する中空合板に強化段ボール材を採用することで、棺のさらなる軽量化を図ることができ、火葬時の燃焼時間をさらに短縮することができる。
強化段ボール材は、中空合板の棺内側のみに用いられるため、棺の外側に段ボール面が見えることはなく、天然木の質感が損なわれることはない。
【００１５】
第２考案において、「強化段ボール材」は、２枚の外板（ライナー）との間に波板が仕切り板を介して積層された構造をもつ。段ボール紙面が樹脂等で強化されており、優れた耐圧性・耐水性をもつ。例えば二層強化段ボール材（トライウォール社製：厚み約５ｍｍ）を使用することができる。
【００１６】
［第１考案および第２考案］
本考案において、「天然木」は、無垢材として棺の材料となるものを意味し、桐（キリ）、檜（ヒノキ）、欅（ケヤキ）、杉（スギ）、樅（モミ）等が含まれる。これらの天然木のうちいずれか一種を使用するのが望ましいが、必要に応じて二種以上を使い分けてもよい。
【００１７】
本考案の棺は、側板、妻板および天板に加えて底板にも同様な天然木の中空合板を採用することができる。
特に、底板については、耐荷重性を良好にするために天然木の無垢材からなる一枚板で形成してもよい。この場合、棺の外観に一枚板の厚みを見せることで、重厚感のある棺に仕上げることができる。また、棺の重心が低くなるため、安定感も増す。
【００１８】
本考案において、底板、側板、妻板および天板のうち、いずれかの板材に限定的に前述の中空合板を採用してもよい。例えば、天板と側板を中空合板で形成し、底板と妻板を無垢材の一枚板で形成するといったことも可能である。この場合についても、上記板材の全部を無垢材の一枚板で形成するのに比較して安価で軽量な棺を製造することができ、しかも、棺表面の質感を良好に仕上げることができる。
【００１９】
本考案の棺は、和棺として多く採用される直方体形状の棺に適用するのが望ましいが、その形状は特に制限されない。例えば、直方体の角部を面取りした形状の棺にも適用することができる。
中空合板を形成する薄板は、無垢材の一枚板では困難な曲げ加工が可能であるため、棺の板面にこのような曲げ加工を施してもよい。例えば、棺の側板または天板を流線形の曲面形状に形成することで、デザイン性に優れた高級感のある棺を実現することができる。
【００２０】
本考案の棺の用途は、人用に限ることなくペット用等であってもよい。寝棺、座棺等の収容方式についても特に限定されない。
その他、第１考案および第２考案に明細書に記載の他の考案を適用することももちろん可能である。
【図面の簡単な説明】
【００２１】
【図１】第１実施形態の天然木棺を示す分解斜視図である。
【図２】同天然木棺を示す平面図である。
【図３】同天然木棺を示す側面図である。
【図４】同天然木棺を示す正面図である。
【図５】図３に示すＶ−Ｖ線断面図である。
【図６】同天然木棺の部分断面を示すもので、（Ａ）は図５VI(A)部分の拡大断面図、（Ａ）は図５VI(B)部分の拡大断面図である。
【図７】第２実施形態の天然木棺を示す分解斜視図である。
【図８】同天然木棺を示す図５対応断面図である。
【図９】同天然木棺の部分断面を示すもので、図８IX部分の拡大断面図である。
【図１０】第３実施形態の天然木棺を示す分解斜視図である。
【図１１】同天然木棺を示す側面図である。
【図１２】図１１に示すXII−XII線断面図である。
【図１３】第４実施形態の天然木棺を示す図５対応断面図である。
【図１４】第５実施形態の天然木棺を示す図５対応断面図である。
【図１５】図１４に示すXV部分の拡大断面図である。
【図１６】第６実施形態の天然木棺を示す断面図である。
【考案を実施するための形態】
【００２２】
以下、本考案の実施形態を図面に基づいて説明する。
［第１実施形態］
第１実施形態の棺を図１〜図６に示した。
図１に示すように、棺Ｇ１は、直方体形状の棺に本考案を適用したもので、下箱２の上方に蓋３が載置される。蓋３の前寄りの位置に故人と対面するための観音扉式の小窓４が設けられる。
【００２３】
下箱２は、底板５、側板６，６および妻板７，７を有する。矩形の底板５の左右側端から側板６，６が立ち上げられ、底板５の前後側端から妻板７，７が立ち上げられる。各板の固定代は、接着剤、釘等で止められる。
【００２４】
蓋３は、天板８と枠材９ａ，９ｂとを有している。枠材９ａ，９ｂは、矩形の天板８の左右側端および前後側端から一定幅をもってそれぞれ下方に向けて固定される。枠材９ａ，９ｂの下端が側板６，６および妻板７，７の上端にぴったり一致して載ることで、下箱２と蓋３とが直方体形状の外観になる。
下箱２と蓋３とを合わせた寸法としては、例えば前後長さが１７０〜２００ｃｍ程度、左右幅が５０〜７０ｃｍ程度、下箱２と蓋３を含めた高さが４０〜５０ｃｍ程度に設定される。
【００２５】
図５に示すように、下箱２の上端内側には、その開口端に沿って巾木９ｃが固定される。この巾木９ｃは棺Ｇ１のインロー部となるもので、下箱２の内周に沿って上側に突き出るように配置されている。下箱２の上に蓋３を載せると、枠材９ａ，９ｂの内側に巾木９ｃが摺接して蓋３の横ズレが防止される。
【００２６】
底板５、側板６，６、妻板７，７および天板８の板材には中空合板が採用される（図５および図６参照）。この中空合板は、２枚の薄板１１，１２の間に角棒状の芯材１３を挟んで貼り合わせてなるもので、薄板１１，１２の間に空洞Ｓを有している。
【００２７】
芯材１３は、底板５、側板６，６、妻板７，７および天板８の縦横寸法に合わせてカットされており、各板の外周端と、必要に応じて各板の中間位置（図示省略）とに配置される。中空合板の空洞Ｓは、これらの薄板１１，１２と、芯材１３とに囲まれて外側には見えない。
【００２８】
図６（Ｂ）に示すように、側板６，６の下端部には、棺外側の薄板１１の先端を延長してなる目隠し部１１ａが設けられる。目隠し部１１ａは、側板６，６の下方に底板５の端面が露出するのを防ぐ役割を果たす。このように底板５の端面を隠すことで、薄板１１，１２と芯材１３の境界が目立たなくなり、シンプルな外観の棺Ｇ１となる。
【００２９】
中空合板の薄板１１，１２は、天然木（桐、檜、欅、杉、樅等）の集成材により形成される。この集成材は、天然木の間伐材を例えば板幅１００ｍｍ、板厚２５ｍｍ程度のブロック状の板片に加工したものを貼り合わせて積層体とし、この積層体を積層方向に３〜８ｍｍ程度、望ましくは５ｍｍ程度の厚みにカットして得られる。
【００３０】
芯材１３は、薄板１１，１２と同様に天然木の集成材で形成してもよいし、天然木の無垢材を用いてもよい。棺Ｇ１の外観に表れる箇所を全て天然木で統一することで、その仕上がりが良好になる。なお、棺Ｇ１の外観に見えない箇所については、必要に応じて天然木以外の材料（樹脂、金属等）を使用してもよい。
【００３１】
このように第１実施形態の棺Ｇ１によれば、底板５、側板６，６、妻板７，７および天板８が天然木の集成材から形成されるため、これらの板面に天然木の質感が表れる。これにより、従来の天然木棺に匹敵する高級な質感の仕上がりにすることができる。
【００３２】
また、棺Ｇ１では、天然木の間伐材から集成材を形成するため、比較的安価なコストで天然木棺と同等の質感を得ることができる。天然木の間伐材には節が含まれることがあるが、集成材として再生することで、その板面に節が目立たなくなり、棺の材料として間伐材を有効に利用することが可能となる。
【００３３】
さらに、棺Ｇ１によれば、底板５、側板６，６、前記妻板７，７および天板８が中空合板で形成されるため、これらの板材の重量が一枚板の無垢材に比べ大幅に軽減される。これにより、火葬時の燃焼時間を短縮し、二酸化炭素排出量を抑えて環境負担を軽減することができる。
【００３４】
［第２実施形態］
第２実施形態を図７〜図９に示した。第２実施形態は、直方体形状の上面外周に沿って面取りを施した棺に本考案を適用したものである。
図７に示すように、棺Ｇ２は、下箱２の上に面取りされた蓋３が載置される。蓋３の天板８は、頂板８Ａと面取り板８Ｂからなり、これらの板材が第１実施形態と同様な中空合板で形成されている（図８および図９参照）。
【００３５】
図９に示すように、面取り板８Ｂの中空合板は、その薄板１１，１２および芯材１３の端面が板面に対してほぼ４５゜角にカットされる。これにより、頂板８Ａと枠材９ａ，９ｂのほぼ垂直な端面に隙間なく密着する。
下箱２を含む他の構成は、第１実施形態と実質的に同様である。
【００３６】
第２実施形態によれば、第１実施形態の効果に加え、蓋３の面取り形状によってその外観のデザイン性を高めることができる。
【００３７】
［第３実施形態］
第３実施形態を図１０〜図１２に示した。第３実施形態は、直方体形状の長さ方向に流線形の曲面を設けたものである。
図１０に示すように、棺Ｇ３は、その長さ方向の中央部が弧状に膨らむ流線形に形成される。底板５の左右外側に向けた弧状（弓状）の側端に沿って流線形の曲面をもつ側板６，６がほぼ垂直に立ち上げられる。
【００３８】
天板８は、頂板８Ｃと繋ぎ板８Ｄとから構成され、その頂板８Ｃの板面が前後の端から中央に行くに従い滑らかな上向きに傾斜している。頂板８Ｃの幅方向の両側には、弧状の枠材９ａと頂板８Ｃとの隙間を埋めるように繋ぎ板８Ｄが設けられている。
【００３９】
棺Ｇ３において、底板５、側板６，６、妻板７，７および天板８（頂板８Ｃと繋ぎ板８Ｄ）が第１実施形態と同様な中空合板で形成される。
なお、符号９Ｄは、天板８の前後に設けられるもので、下箱２の内側に嵌まるインロー部である。
【００４０】
第３実施形態によれば、第１実施形態の効果に加えて、側板６，６および天板８の流線形の曲面により、さらにデザイン性の高い外観に仕上げることができる。中空合板の薄板１１，１２は、曲げ加工が容易であるため、無垢材を切削加工するのに比べ製造コストを大幅に低減することができる。
【００４１】
［第４実施形態］
第４実施形態を図１３に示した。第４実施形態は、棺の底板に無垢材からなる一枚板を採用したものである。
図１３示すように、棺Ｇ４は、無垢材からなる一枚板の底板５を有している。底板５の左右側端に側板６，６が立ち上げられる。底板５の前後側端には、妻板７，７がほぼ垂直に立ち上げられる（図示省略）。その他の構成は、第１実施形態の棺Ｇ１と実質的に同一である。
【００４２】
第４実施形態によれば、第１実施形態の効果に加え、棺Ｇ４の下端に無垢材の一枚板が見えるため、その板の厚みによって重厚感のある外観に仕上げることができる。
また、棺Ｇ４の重心が低位置になるため、その安定性が向上する。
【００４３】
［第５実施形態］
図１４および図１５に第５実施形態を示した。第５実施形態は、第４実施形態の中空合板における薄板に強化段ボール材を採用したものである。
図１４に示すように、棺Ｇ５の中空合板は、第１実施形態と同様な天然木の集成材からなる薄板１１と、二層強化段ボール材からなる薄板１２とを備えている（図５参照）。これら薄板１１，１２の間に無垢材の芯材１３が挟まれて中空合板が形成される。
【００４４】
棺Ｇ５において、側板６，６、妻板７，７および天板８に上記の中空合板が採用される。これらの中空合板は、集成材の薄板１１が棺Ｇ５の外側に向くように配置され、二層強化段ボール材の薄板１２が棺Ｇ５の内側に向くように配置される。底板５には、第４実施形態と同様な無垢材の一枚板が採用される。
【００４５】
第５実施形態によれば、第１実施形態および第４実施形態の効果に加え、中空合板の薄板に段ボール材を採用することで、棺の重量をさらに軽量化し、燃焼時間の短縮を図ることができる。
また、棺Ｇ５の内側に段ボール材の薄板１２を配置することで、外観に段ボール紙面が表れることなく、天然木棺と同等な高級感を維持することができる。
【００４６】
［第６実施形態］
図１６に第６実施形態を示した。第６実施形態の棺Ｇ６は、第５実施形態の中空合板の芯材を変更したものである。
下箱２では、中空合板の芯材１３Ａが強化段ボール材からなる薄板１２の上下に配置される。上側の芯材１３Ａにはインロー部となる巾木９ｃが固定される。
蓋３では、中空合板の芯材１３Ｂが枠材９ａと一体に形成される。左右の枠材９ａ，９ａの間に強化段ボール材からなる薄板１２が収まる。
【００４７】
第６実施形態によれば、第５実施形態の効果に加え、強化段ボール材である薄板１２の側端（厚み）が棺Ｇ６の外側に露出しないため、棺Ｇ６の外観の仕上がりを向上させることができる。また、強化段ボール材より硬い芯材１３Ａに巾木９ｃが固定されるため、その固定強度が良好になる。
【００４８】
以上、第１実施形態〜第６実施形態を説明したが、本考案の実施形態は、これらに限られることなく、さらなる変形を伴ってもよい。
中空合板の採用箇所については、天板８や側板６，６といった板材のみに限定的に設けてもよい。
枠材９ａ，９ｂの板幅が広い場合には、これらの板材に中空合板を採用してもよい。
第５および第６実施形態は、中空合板に二層強化段ボール材を採用するが、その強度を充分に保つことができるものであれば、二層ではなく一層のものでもよい。三層以上の強化段ボール材を使用することもできる。
【符号の説明】
【００４９】
Ｇ１〜Ｇ６  棺
２    下箱
３    蓋
４    小窓
５    底板
６，６  側板
７，７  妻板
８    天板
８Ａ  頂板（天板）
８Ｂ  面取り板（天板）
８Ｃ  頂板（天板）
８Ｂ  繋ぎ板（天板）
９ａ，９ｂ  枠材
９ｃ  巾木
１１，１２    薄板（中空合板）
１３    芯材（中空合板）
Ｓ    空洞
【図１】
0003157862.tif 000003
【図２】
0003157862.tif 000004
【図３】
0003157862.tif 000005
【図４】
0003157862.tif 000006
【図５】
0003157862.tif 000007
【図６】
0003157862.tif 000008
【図７】
0003157862.tif 000009
【図８】
0003157862.tif 000010
【図９】
0003157862.tif 000011
【図１０】
0003157862.tif 000012
【図１１】
0003157862.tif 000013
【図１２】
0003157862.tif 000014
【図１３】
0003157862.tif 000015
【図１４】
0003157862.tif 000016
【図１５】
0003157862.tif 000017
【図１６】
0003157862.tif 000018